(57)【要約】【課題】  内部空間(13)を外気温とは異なる温度に保つための保冷箱に対して、多種類のサイズにも合理的に適合できる保冷用落とし蓋を提供する。【解決手段】  上面を開口する容器本体と、その容器本体の開口を開閉する上蓋(12)とを備えてその内部空間(13)を外気温とは異なる温度に保つための保冷箱(10)における内底と前記の上蓋(12)の下面との間に位置させて用いる保冷用落とし蓋(20)であって、その保冷用落とし蓋(20)は、当該保冷箱(10)の内側面に接する板状の蓋本体(21)と、  その蓋本体(21)における一面において当該保冷用落とし蓋(20)とは別体の保温剤(30)を収納可能な保温剤収納部(22)と、  その保温剤収納部(22)とは反対側の面に設けた取っ手(23)と、を備える。  前記の蓋本体の上面および／または下面には、保温剤収納部(22)の平面形状よりも大きな外周をなす折れ線(21C)を少なくとも一つ備える。【選択図】  図３
2014126320.tif 000002
【特許請求の範囲】
【請求項１】
上面を開口する容器本体と、その容器本体の開口を開閉する上蓋を備えてその内部空間を外気温とは異なる温度に保つための保冷箱における内底と上蓋との間に位置させて用いる保冷用落とし蓋であって、
保冷箱の内側面に接する板状の蓋本体と、
その蓋本体における一面において当該保冷用落とし蓋とは別体の保温剤を収納可能な保温剤収納部と、
その保温剤収納部とは反対側の面に設けた取っ手と、
を備え、
前記の蓋本体には、保温剤収納部の平面形状よりも大きな外周において当該蓋本体が折れ曲がりやすい折り曲げ用構造を備えた保冷用落とし蓋。
【請求項２】
前記の折り曲げ用構造は、前記の蓋本体の上面および／または下面において保温剤収納部の平面形状よりも大きな外周をなす折れ線を少なくとも一つ備えることとした保冷用落とし蓋。
【請求項３】
前記の保温剤収納部における前記の取っ手とは反対側の面は、当該面に接する平面の接触面積を減少させるための凹凸を形成した請求項１または請求項２のいずれかに記載の保冷用落とし蓋。
【請求項４】
上面を開口する上蓋を備えてその内部空間を外気温とは異なる温度に保つための保冷箱であって、
その保冷箱における内底と上蓋との間に位置させて用いる保冷用落とし蓋を備え、
その保冷用落とし蓋は、前記の保冷箱の内側面に接する板状の蓋本体と、
その蓋本体における一面において当該保冷用落とし蓋とは別体の保温剤を収納可能な保温剤収納部と、
その保温剤収納部とは反対側の面に設けた取っ手と、
を備え、
前記の蓋本体には、保温剤収納部の平面形状よりも大きな外周において当該蓋本体が折れ曲がりやすい折り曲げ用構造を備えた保冷箱。
【請求項５】
前記の折り曲げ用構造は、前記の蓋本体の上面および／または下面において保温剤収納部の平面形状よりも大きな外周をなす折れ線を少なくとも一つ備えることとした請求項４に記載の保冷箱
【請求項６】
前記の保温剤収納部における前記の取っ手とは反対側の面は、当該面に接する平面の接触面積を減少させるための凹凸を形成した請求項４または請求項５のいずれかに記載の保冷箱。
【請求項７】
前記の保冷用落とし蓋は、複数を並列として保冷箱における内底と上蓋との間に位置させることとした請求項４から請求項６のいずれかに記載の保冷箱。
【発明の詳細な説明】
【技術分野】
【０００１】
本発明は、保冷箱および保冷箱の保温性能を、より長時間にわたって維持向上させるための保冷用落とし蓋、およびその落とし蓋を用いた保冷箱に関する。
【背景技術】
【０００２】
断熱性に優れた素材や真空パネルなどの高機能素材を用いて保冷箱（クーラーボックス）を製造することは、従来から行われてきている。
また、そうした保冷箱の開閉に伴う内部空間において、保温する領域をできる限り効率化するため、収納品の大きさに併せて保冷箱の大きさを使い分けることが望ましい。しかし、収納サイズのバリエーションを多数揃える代わりに、特許文献１や特許文献２に開示されたような技術が提供されている。すなわち、大きめの保冷箱における内部空間を上下に仕切って収納空間を狭め、冷気が存在する空間を小さくして保冷性能を高める保冷箱の内蓋（落とし蓋）に関する技術である。
【０００３】
保冷箱内の保冷剤に関しては、氷が一般的に広く使用される。  近年では、塩化ビニルなどの袋体へゲル状物質（ポリアクリル酸ナトリウム、エチレングリコール）の冷却物質を充填したものが、入手しやすく、使われることもある。
本格的な保冷剤は、摂氏マイナス２０度くらいまで下がらないと凝固しない液体をハードケースに充填したもの（以下、「ハードケース式冷却剤」と記す）がある。特許文献１に開示された『蓄冷剤１２』特許文献２に開示された『保冷剤３』は、ハードケース式冷却剤に該当すると推測される）
【先行技術文献】
【特許文献】
【０００４】
【特許文献１】実開昭５２−１３７３４８号公報
【特許文献２】実開昭５６−９２０７２号公報
【発明の概要】
【発明が解決しようとする課題】
【０００５】
保冷箱（主にクーラーボックス）は、前述したように、非常に多くの種類が存在し、そのサイズも様々である。そうした多くのサイズに適合した内蓋（落とし蓋）を提供するのは、合理的ではない。その内蓋（落とし蓋）を成型するための型がクーラーボックスのサイズ種類の数だけ必要となったのでは、製造、製品管理などが複雑となってしまうからである。
【０００６】
また、クーラーボックスの保冷能力を向上させるため、前記したハードケース式冷却剤を使用したい場合がある。しかし、ハードケース式冷却剤の大きさも、クーラーボックスのサイズに合わせて製造していたのでは、やはり合理的ではない。
【０００７】
本発明が解決しようとする課題は、多種類のサイズの保冷箱にも合理的に適合できる保冷用落とし蓋を提供することにある。
【課題を解決するための手段】
【０００８】
（第一の発明）
本願における第一の発明は、  上面を開口する容器本体と、その容器本体の開口を開閉する上蓋(12)とを備えてその内部空間(13)を外気温とは異なる温度に保つための保冷箱(10)における内底と前記の上蓋(12)の下面との間に位置させて用いる保冷用落とし蓋(20)に係る。
その保冷用落とし蓋(20)は、当該保冷箱(10)の内側面に接する板状の蓋本体(21)と、  その蓋本体(21)における一面において当該保冷用落とし蓋(20)とは別体の保温剤(30)を収納可能な保温剤収納部(22)と、  その保温剤収納部(22)とは反対側の面に設けた取っ手(23)と、を備える。
前記の蓋本体(21)には、保温剤収納部(22)の平面形状よりも大きな外周において当該蓋本体が折れ曲がりやすい折り曲げ用構造を備える。
【０００９】
（用語説明）
「保冷箱(10)」は、断熱性能に優れた素材にて形成され、その内部空間を外気温とは異なる温度に長時間保つことを目的として形成された箱体である。  一般には、氷や保冷剤を収納することによって、内部空間に保管した内容物を低温に保つための、いわゆるクーラーボックスとして用いられる。ただし、加熱した内容物をできる限り高温に保つための保温箱として本願の「保冷箱」や「保冷用落とし蓋」を用いることを妨げるものではない。
「保温剤(30)」は、内部空間を外気温よりも低温に保つ目的であれば保冷剤であり、内部空間を外気温よりも高温に保つ目的であれば加温剤である。
「保温剤収納部(22)」は、袋状をなしていてもよいし、ハードケース式冷却剤をバンドなどで固定することで実質的に収納するモノであってもよい。
【００１０】
「折り曲げ用構造」とは、蓋本体(21)における厚さ寸法を変更することによって折れ曲がりやすくしたり、蓋本体(21)を形成する素材を変更したりして形成する。また、折り曲げるべき場所を示す表示（印刷や刻印）をも含む趣旨である。
【００１１】
（作用）
まず、保冷用落とし蓋(20)における保温剤収納部(22)に対して、保温剤(30)を収納する。
保冷箱(10)の上蓋(12)を開け、内部空間(13)の水平断面形状に合わせ、保冷用落とし蓋(20)における蓋本体(21)を、折り曲げ用構造を用いて適合させる。そして、保温剤収納部(22)が保冷箱(10)の内部空間(13)側に位置するようにして、その内部空間(13)を狭めるようにする。これによって、内部空間の保温が効率的になる。
保冷箱(10)の内部空間(13)に入れた収納物を取り出したり、保冷箱(10)の内部空間(13)へ収納物を収納させたりする場合には、取っ手(23)を掴んで保冷用落とし蓋(20)を持ち上げ、内部空間(13)の上面を開放してから行う。取り出しまたは収納が完了したら、再び保冷用落とし蓋(20)を押し下げ、内部空間(13)を狭めるようにする。
保冷用落とし蓋(20)における蓋本体(21)の折り曲げ用構造を用いて折り曲げることで、クーラーボックスのサイズが少々異なっていても、適合させることができる。
【００１２】
（第一の発明のバリエーション１）
第一の発明における折り曲げ用構造は、前記の蓋本体(21)の上面および／または下面において、保温剤収納部(22)の平面形状よりも大きな外周をなす折れ線(21C)を少なくとも一つ備えることとしてもよい。
【００１３】
「折れ線(21C)」とは、他の部位よりも折れ曲がりやすく加工された部位である。すなわち、本願の保冷用落とし蓋(20)を用いる保冷箱(10)における内部空間の水平方向の断面形状に合わせた形状に保冷用落とし蓋(20)を変形させるための部位である。「内部空間の水平方向の断面形状に合わせた形状」であるので、一般的には長方形となる。
この折れ線(21C)に沿って、保冷箱(10)のユーザが蓋本体(21)を切り取って使用しても良い。
蓋本体(21)には、折れ線(21C)を複数設けていても良い。たとえば、２本の折れ線(21C)を備えた保冷用落とし蓋(20)であれば、折れ線(21C)を用いない場合を含めて、三種類の大きさの保冷箱(10)に対応できる。
折れ線(21C)を切り取り線として用いずに折り曲げて使用する場合に備えることとしてもよい。すなわち、保冷箱(10)における内部空間の角部付近に対応する蓋本体(21)の箇所を、合理的に折り畳める折れ線を設けることとしてもよい。
【００１４】
（第一の発明のバリエーション２）
第一の発明は、前記の保温剤収納部(22)における前記の取っ手(23)とは反対側の面は、当該面に接する平面の接触面積を減少させるための凹凸（例えばメッシュ面22B）を形成すると、より好ましい。
【００１５】
（作用）
保温剤収納部(22)における前記の取っ手(23)とは反対側の面は、保冷箱(10)の内部空間(13)に入れた収納物と接触する可能性がある。たとえば、保温剤収納部(22)に収納されているのがハードケース式冷却剤である場合、保温剤収納部(22)と収納物とが凍り付いてしまうことがある。
凹凸(22B)が形成されている場合、保温剤収納部(22)と収納物とが接触しても凍り付きにくく、凍り付いたとしても剥がれやすい。
【００１６】
（第二の発明）
第二の発明は、第一の発明に係る保冷用落とし蓋(20)を備えた保冷箱(10)に係る。
すなわち、保冷箱(20)における内底と前記の上蓋(12)の下面との間に位置させて用いる保冷用落とし蓋(20)を備え、  その保冷用落とし蓋(20)は、当該保冷箱(10)の内側面に接する板状の蓋本体(21)と、  その蓋本体(21)における一面において当該保冷用落とし蓋(20)とは別体の保温剤(30)を収納可能な保温剤収納部(22)と、  その保温剤収納部(22)とは反対側の面に設けた取っ手(23)と、を備える。  前記の蓋本体(21)の上面および／または下面には、保温剤収納部(22)の平面形状よりも大きな外周をなす折れ線(21C)を少なくとも一つ備える。
前記の蓋本体(21)には、保温剤収納部(22)の平面形状よりも大きな外周において当該蓋本体が折れ曲がりやすい折り曲げ用構造を備える。
【００１７】
（第二の発明のバリエーション１）
第一の発明における折り曲げ用構造は、前記の蓋本体(21)の上面および／または下面において、保温剤収納部(22)の平面形状よりも大きな外周をなす折れ線(21C)を少なくとも一つ備えることとしてもよい。
【００１８】
（第二の発明のバリエーション２）
第二の発明もまた、前記の保温剤収納部(22)における前記の取っ手(23)とは反対側の面は、当該面に接する平面の接触面積を減少させるための凹凸（例えばメッシュ面22B）を形成すると、より好ましい。
【００１９】
（第二の発明のバリエーション３）
第二の発明における前記の保冷用落とし蓋(20)は、複数を並列として保冷箱(10)における内底と上蓋との間に位置させることとして形成してもよい。
これにより、保冷箱(10)の寸法に対して、更に広く対応可能となる。
【発明の効果】
【００２０】
本願の第一の発明によれば、保冷箱の保温性能をより長時間にわたって維持向上させるための保冷用落とし蓋を提供することができた。
第二の発明によれば、保温性能をより長時間にわたって維持向上させるための保冷箱を提供することができた。
【図面の簡単な説明】
【００２１】
【図１】本発明の実施形態における使用状態を示す斜視図である。
【図２】本発明の実施形態における使用状態を示す斜視図である。
【図３】本発明の実施形態の主要部を示す平面図である。
【図４】本発明の実施形態における使用状態を示す斜視図である。
【図５】本発明の実施形態の主要部を示す平面図である。
【図６】本発明の実施形態における主要部のバリエーションを示す平面図および斜視図である。
【図７】本発明の実施形態における主要部のバリエーションを示す斜視図である。
【発明を実施するための形態】
【００２２】
以下、本発明の実施形態について図面を参照して説明する。  ここで用いる図は、図1から図７である。
【００２３】
図１に示すように、上面を開口する上蓋１２および中蓋１４を備えてその内部空間１３を外気温とは異なる温度に保つための保冷箱１０と、その保冷箱１０における内底と前記の上蓋１２の下面との間に位置させて用いる保冷用落とし蓋２０がある。
保冷用落とし蓋２０は、当該保冷箱１０の内側面に接する板状の蓋本体２１と取っ手２３と、を備える。
【００２４】
図２に示すように、前記の蓋本体２１における一面において当該保冷用落とし蓋２０とは別体の保温剤３０を収納可能な保温剤収納部２２を設けている。
この図２に示す保温剤３０は、ハードケース式冷却剤である。ただし、保温剤は、内部空間を外気温よりも高温に保つ目的であれば加温剤となる。
【００２５】
保温剤収納部２２は、簡易チャック式の収納蓋２２Ａを備えた袋状に形成している。また、この図には表れない取っ手２３とは反対側の面を、保温剤収納部２２の内部と連通するメッシュ面２２Ｂとして形成している。
メッシュ面２２Ｂは細かい凹凸でもあるので、そのメッシュ面２２Ｂと収納物とが接触しても凍り付きにくく、凍り付いたとしても剥がれやすい。
保温剤収納部２２の平面形状は、代表的なハードケース式冷却剤、あるいはそれよりもやや大きなハードケース式冷却剤が収納可能であるように大きさを決定している。そのため、それよりも小さなハードケース式冷却剤であっても使用することができる。
【００２６】
図３に示すように、  蓋本体２１の上面および／または下面には、保温剤収納部２２の平面形状よりも大きな外周をなす折れ線２１Ｃを一つ備えている。  この折れ線２１Ｃは、他の部位よりも折れ曲がりやすく加工された部位（具体的には、たとえば溝）である。この折れ線２１Ｃに沿って、保冷箱１０のユーザが蓋本体２１を切り取って使用しても良い。
折れ線２１Ｃが存在することで、クーラーボックスのサイズが少々異なっていても、適合させることができる。
【００２７】
図４に示すように、水平方向寸法が大きなクーラーボックス１０に対しては、保冷用落とし蓋２０を、方向を変えて２枚用いる。このクーラーボックス１０には、内部空間１３を縦方向に仕切るための仕切り板２４も設けている。
２枚の保冷用落とし蓋２０を用いる場合、取っ手２３の色を異ならせておくなどの工夫によって（区別部２３Ａ）と便利である。いずれの保冷用落とし蓋２０の下に何があるのかを覚えやすいからである。
たとえば、このクーラーボックス１０を魚釣りに持参した場合、区別部２３Ａのある保冷用落とし蓋２０の下方を、釣り上げた魚の収納空間である、とユーザが決めて使用すれば、冷気を逃がしにくい使い方ができる。すなわち、釣り上げた魚を収納する場合には、区別部２３Ａのある保冷用落とし蓋２０を持ち上げ、他方の保冷用落とし蓋２０は使用しない。すると、区別部２３Ａのある保冷用落とし蓋２０の下方にある内部空間１３しか、冷気が逃げない。もう一方の内部空間１３は、使用しなかった保冷用落とし蓋２０および仕切り板２４にて囲まれたままだからである。
【００２８】
図５に示すのは、ハードケース式冷却剤３０を用いずに、複数のゲル状冷却剤３１を冷却剤として採用し、保冷剤収納部２２へ収納した場合を示している。
ゲル状冷却剤３１は、入手しやすく安価なため、経済的である。
【００２９】
図６に示すのは、落とし蓋のバリエーションを示す平面図（Ａ）および斜視図（Ｂ）である。
この図６に示す蓋本体２１は、保冷剤収納部２２よりも一回り大きな長方形平面の部位を肉厚部２１Ｄとし、その肉厚部２１Ｄの周囲を肉薄部２１Ｅとして形成している。肉厚部２１Ｄと肉薄部２１Ｅとの境目が折れ線２１Ｃとして機能することとなる。すなわち、この蓋本体２１をクーラーボックスの開口から下方へ押し込んだ場合、折れ線２１Ｃに沿って蓋本体２１が折れ曲がり、クーラーボックスの冷却空間を狭め、性客性能の低下を抑制することとなる。
【００３０】
図７に示すのは、落とし蓋の更なるバリエーションである。
図７（Ａ）に示すのは、保冷剤収納部２２を楕円形とし、その保冷剤収納部２２を中心として十文字をなすように肉厚部２１Ｄを形成し、その肉厚部２１Ｄの先端側に肉薄部２１Ｅを形成したバリエーションである。
この形状を採用した蓋本体２１をクーラーボックスの開口から下方へ押し込んだ場合、クーラーボックスの角付近が最も折れ曲がりやすい。そのため、押し込む際に作業がしやすく、押し込んだ後も、クーラーの角付近の隙間が小さくなる。
【００３１】
図７（Ｂ）に示すのは、  図７（Ａ）に示したバリエーションの更なるバリエーションである。すなわち、長手方向に肉厚部２１Ｄも肉薄部２１Ｅも存在しない箇所を設けている。
この形状を採用した蓋本体２１をクーラーボックスの開口から下方へ押し込んだ場合、クーラーボックスにおける長手方向も、角付近とともに折れ曲がりやすい。そのため、押し込む際に作業がしやすく、押し込んだ後も、クーラーの角付近の隙間が小さくなる。
【産業上の利用可能性】
【００３２】
本発明は、保冷箱の製造業、釣具としてのクーラーボックス、釣用備品のレンタル業などのレジャー産業において利用可能性を有する。
【符号の説明】
【００３３】
１０  ；保冷箱（クーラーボックス）    １１  ；本体
１２  ；開閉蓋                        １３  ；内部空間
１４  ；内蓋
２０  ；落とし蓋
２１  ；蓋本体                          ２１Ａ；上面
２１Ｂ；下面                            ２１Ｃ；折れ線
２１Ｄ；肉厚部                          ２１Ｅ；肉薄部
２２  ；保冷剤収納部                    ２２Ａ；収納蓋
２２Ｂ；メッシュ面                      ２２Ｃ；フラット面
２３  ；取っ手                          ２３Ａ；区別部
２４  ；仕切り板
３０  ；保温剤（ハードケース式冷却剤）  ３１  ；ゲル状冷却剤
【図１】
2014126320.tif 000003
【図２】
2014126320.tif 000004
【図３】
2014126320.tif 000005
【図４】
2014126320.tif 000006
【図５】
2014126320.tif 000007
【図６】
2014126320.tif 000008
【図７】
2014126320.tif 000009